(57)【特許請求の範囲】
【請求項１】
複数の選択枝を一覧表示する表示装置と、前記表示装置の選択枝の配列を制御する制御
装置と、前記制御装置に座標信号を指示するトラックボールを備えた遠隔操作装置とを備
えた情報表示装置の表示方法であって、
前記選択肢を上方から下方でかつ左右方向に順次配置されるＮ行Ｍ列のマトリックス配
列で前記表示装置に表示し、
前記トラックボールのＹ軸方向の座標信号に基づいて倍率を連続的に変化させ、
前記トラックボールのＸ軸方向の座標信号に基づいて該選択肢の一つが選択状態である
ことを示すカーソルを前記Ｎ行Ｍ列のマトリックス配列で順次配置された該選択肢の配列の順番に従って移動させ、
前記倍率変化に伴う表示される行数の増減に対応して、配列変更前に選択状態にあった前記選択肢を基準として、増減後の行数で前記選択肢の表示位置を順送りに並び替えて表示し、
前記基準とした選択肢が、前記行数の増減による表示位置の並び替え後、中央行または中央から左側の行に位置するように表示画面をスクロールして表示し、
前記倍率の拡大により、表示画面の端に位置する選択肢が表示画面から見えなくなると、
行数が減少したマトリックス配列に前記選択肢を順送りに並び替えて表示する
ことを特徴とする情報表示装置の表示方法。
【請求項２】
複数の選択枝を一覧表示する表示装置と、前記表示装置の選択枝の配列を制御する制御装置と、前記制御装置に座標信号を指示するトラックボールを備えた遠隔操作装置とを備えた情報表示装置の表示方法であって、
前記選択肢を上方から下方でかつ左右方向に順次配置されるＮ行Ｍ列のマトリックス配列で前記表示装置に表示し、
前記トラックボールのＹ軸方向の座標信号に基づいて倍率を連続的に変化させ、
前記トラックボールのＸ軸方向の座標信号に基づいて該選択肢の一つが選択状態であることを示すカーソルを前記Ｎ行Ｍ列のマトリックス配列で順次配置された該選択肢の配列の順番に従って移動させ、
前記倍率変化に伴う表示される行数の増減に対応して、配列変更前に選択状態にあった前記選択肢を基準として、増減後の行数で前記選択肢の表示位置を順送りに並び替えて表示し、
前記基準とした選択肢が、前記行数の増減による表示位置の並び替え後、中央行または中央から左側の行に位置するように表示画面をスクロールして表示し、
前記倍率の拡大により、表示画面のフレームの下端が該表示画面の下端に位置する選択肢の表示領域から該選択肢の一つ上方に位置する選択肢の表示領域に入ると、行数が減少したマトリックス配列に前記選択肢を順送りに並び替えて表示する
ことを特徴とする情報表示装置の表示方法。
【請求項３】
特定の機能が割り当てられた複数の選択枝を一覧表示する表示装置と、前記表示装置の選択枝の配列を制御する制御装置と、前記制御装置に座標信号を指示するトラックボールを備えた遠隔操作装置とを備えた情報表示装置の表示方法であって、
前記選択肢を上方から下方でかつ左右方向に順次配置されるＮ行Ｍ列のマトリックス配列で前記表示装置に表示し、
前記トラックボールのＹ軸方向の座標信号に基づいて倍率を連続的に変化させ、
前記トラックボールのＸ軸方向の座標信号に基づいて該選択肢の一つが選択状態であることを示すカーソルを前記Ｎ行Ｍ列のマトリックス配列で順次配置された該選択肢の配列の順番に従って移動させて前記選択肢の選択を受け付け、
前記倍率変化に伴う表示される行数の増減に対応して、配列変更前に選択状態にあった前記選択肢を基準として、増減後の行数で前記選択肢の表示位置を順送りに並び替えて表示し、
前記基準とした選択肢が、前記行数の増減による表示位置の並び替え後、中央行または中央から左側の行に位置するように表示画面をスクロールして表示し、
前記倍率の拡大により、表示画面の端に位置する選択肢が表示画面から見えなくなると、
行数が減少したマトリックス配列に前記選択肢を順送りに並び替えて表示する
ことを特徴とする情報表示装置の表示方法。
【請求項４】
特定の機能が割り当てられた複数の選択枝を一覧表示する表示装置と、前記表示装置の選択枝の配列を制御する制御装置と、前記制御装置に座標信号を指示するトラックボールを備えた遠隔操作装置とを備えた情報表示装置の表示方法であって、
前記選択肢を上方から下方でかつ左右方向に順次配置されるＮ行Ｍ列のマトリックス配列で前記表示装置に表示し、
前記トラックボールのＹ軸方向の座標信号に基づいて倍率を連続的に変化させ、
前記トラックボールのＸ軸方向の座標信号に基づいて該選択肢の一つが選択状態であることを示すカーソルを前記Ｎ行Ｍ列のマトリックス配列で順次配置された該選択肢の配列の順番に従って移動させて前記選択肢の選択を受け付け、
前記倍率変化に伴う表示される行数の増減に対応して、配列変更前に選択状態にあった前記選択肢を基準として、増減後の行数で前記選択肢の表示位置を順送りに並び替えて表示し、
前記基準とした選択肢が、前記行数の増減による表示位置の並び替え後、中央行または中央から左側の行に位置するように表示画面をスクロールして表示し、
前記倍率の拡大により、表示画面のフレームの下端が該表示画面の下端に位置する選択肢の表示領域から該選択肢の一つ上方に位置する選択肢の表示領域に入ると、行数が減少したマトリックス配列に前記選択肢を順送りに並び替えて表示する
ことを特徴とする情報表示装置の表示方法。
【請求項５】
請求項３または４記載の情報表示装置の表示方法において、
前記遠隔操作装置からの決定操作を受け付けて、前記選択されている選択肢に割り当てられている機能を実行することを特徴とする情報表示装置の表示方法。
【請求項６】
複数の選択枝を一覧表示する表示装置と、前記表示装置の選択枝の配列を制御する制御装置と、前記制御装置に座標信号を指示する遠隔操作装置であって該遠隔操作装置を把持した状態で指先で操作されるポインティングデバイスを備えた遠隔操作装置とを備えた情報表示装置の表示方法であって、
前記選択肢を上方から下方でかつ左右方向に順次配置されるＮ行Ｍ列のマトリックス配列で前記表示装置に表示し、
前記ポインティングデバイスのＹ軸方向の座標信号に基づいて倍率を連続的に変化させ、
前記ポインティングデバイスのＸ軸方向の座標信号に基づいて該選択肢の一つが選択状
態であることを示すカーソルを前記Ｎ行Ｍ列のマトリックス配列で順次配置された該選択肢の配列の順番に従って移動させ、
前記倍率変化に伴う表示される行数の増減に対応して、配列変更前に選択状態にあった前記選択肢を基準として、増減後の行数で前記選択肢の表示位置を順送りに並び替えて表示し、
前記基準とした選択肢が、前記行数の増減による表示位置の並び替え後、中央行または中央から左側の行に位置するように表示画面をスクロールして表示し、
前記倍率の拡大により、表示画面の端に位置する選択肢が表示画面から見えなくなると、  行数が減少したマトリックス配列に前記選択肢を順送りに並び替えて表示する
ことを特徴とする情報表示装置の表示方法。
【請求項７】
複数の選択枝を一覧表示する表示装置と、前記表示装置の選択枝の配列を制御する制御装置と、前記制御装置に座標信号を指示する遠隔操作装置であって該遠隔操作装置を把持した状態で指先で操作されるポインティングデバイスを備えた遠隔操作装置とを備えた情報表示装置の表示方法であって、
前記選択肢を上方から下方でかつ左右方向に順次配置されるＮ行Ｍ列のマトリックス配列で前記表示装置に表示し、
前記ポインティングデバイスのＹ軸方向の座標信号に基づいて倍率を連続的に変化させ、
前記ポインティングデバイスのＸ軸方向の座標信号に基づいて該選択肢の一つが選択状
態であることを示すカーソルを前記Ｎ行Ｍ列のマトリックス配列で順次配置された該選択肢の配列の順番に従って移動させ、
前記倍率変化に伴う表示される行数の増減に対応して、配列変更前に選択状態にあった前記選択肢を基準として、増減後の行数で前記選択肢の表示位置を順送りに並び替えて表示し、
前記基準とした選択肢が、前記行数の増減による表示位置の並び替え後、中央行または中央から左側の行に位置するように表示画面をスクロールして表示し、
前記倍率の拡大により、表示画面のフレームの下端が該表示画面の下端に位置する選択肢の表示領域から該選択肢の一つ上方に位置する選択肢の表示領域に入ると、行数が減少したマトリックス配列に前記選択肢を順送りに並び替えて表示する
ことを特徴とする情報表示装置の表示方法。
【発明の詳細な説明】
【技術分野】
【０００１】
本発明は、表示画面上に複数の操作ボタンを備えたメニュー画面や操作画面などの選択
画面を表示し、ポインティングデバイスの操作によりカーソルを移動させて、前記選択画
面の各種操作を実行する情報表示装置の表示方法に関するものである。
【背景技術】
【０００２】
近年、パソコンや各種の情報表示装置においては、キーボードによる入力や各種の操作
指示をマウスで行うことが多くなってきている。これらは、表示装置に複数の操作ボタン
を備えたメニュー画面や操作画面を表示し、目的あるいは選択したい操作ボタンにカーソ
ルを移動させて決定操作を行うものである。このカーソルを移動させる手段としてマウス
が一般的である。このマウスは、使用者が握るマウス本体の底面にトラックボール機構を
備えて、マウス本体を操作テーブル面上を移動させることにより、前記トラックボール機
構のボールを回転させて、その移動量と方向に対応する動作をカーソルの移動量と方向に
変換するものである。しかしながら、このマウスは、マウス本体を直接移動させるため、
操作テーブル面が絶対的に必要である。特に、カーソルを長い距離移動させる場合は、Ａ
地点からＢ地点にマウス本体を移動させて、このマウス本体を一端引き上げてＡ地点に戻
して再びＢ地点まで移動させる動作、所謂「漕ぐ動作」を繰り返さなければならない。
【０００３】
このような、マウスの欠点を補う装置としてトラックボールがある。このトラックボー
ルは、マウスを反転させて、ボールを上面に露出させた構造を備えている。このトラック
ボールによれば、トラックボール本体を固定して設けることができ、このトラックボール
本体の上面に配置したボールを指先で任意の方向に回転して表示画面上のカーソルを簡単に移
動させることができるから、操作テーブル面がなくともマウスと同様な操作を実現するこ
とができる。
【０００４】
また、このほか、指先でタッチした位置の移動量を検知してカーソルの移動量に変換す
るタッチパッドも操作テーブル面が不要なポインティングデバイスとして知られている。
【０００５】
【特許文献１】特開２００４−２７２６３０号公報
【発明の開示】
【発明が解決しようとする課題】
【０００６】
前記したように、トラックボールは、操作テーブル面を必要としないために、作業スペ
ースのない設置条件での情報機器の操作や、操作部を機器に直接備える場合に有効である
。しかしながら、マウス操作のように、マウス本体の移動動作とカーソルの移動とが連動
していないために、画面上のある点まで移動する場合にはボールの回転距離を予め想定し
て操作を始めることができない。つまり、トラックボールでは、トラックボール本体を固
定してボールの回転操作で座標指示を行うために、ボールの回転と移動距離の対応が取り
憎い課題がある。特に、カーソル移動距離が短い場合はマウスと同じ感覚で操作すること
が可能であるが、移動距離が長くなると、先ず適当に移動させ、ゴール地点が視界に入っ
たら微調整を行うこととなる。
【０００７】
特に、トラックボールの場合、操作者は横の動きは手首を軸にして左右方向の大きなリ
ニアな操作が可能なのに対して、縦方向では指の屈伸の範囲に制限されてしまうためボー
ルの操作がしずらく、例えば、Ｙ軸方向やＸ軸方向の直線的な移動がしずらい操作特性を
備えている。
【０００８】
また、遠隔操作装置に取り付けられたタッチパッドなど、手で握った状態で特定の指先
だけで操作するポインティングデバイスにおいても左右方向の操作に比べて縦方向の操作
が制限される操作特性を備えている。
【０００９】
一方、各種のコンテンツ検索画面では、表示画面上に多くの操作ボタンやアイコンなど
の選択枝を一覧表示し、特定の選択枝を拡大表示して内容を確認したり、あるいは、全体
を見渡す鳥瞰表示や画面スクロールを行うことが要求されている。
【００１０】
そこで、この発明の目的とするところは、トラックボールや遠隔操作装置のポインティ
ングデバイスの操作特性を活かしつつ、一覧表示での拡大縮小表示を可能とする情報表示
装置の表示方法を提供することにある。
【課題を解決するための手段】
【００１１】
前記目的を達成するために、本発明に係る情報表示装置の表示方法では、複数の選択枝を一覧表示する表示装置と、前記表示装置の選択枝の配列を制御する制御装置と、前記制御装置に座標信号を指示するトラックボールを備えた遠隔操作装置とを備え、前記選択肢を上方から下方でかつ左右方向に順次配置されるＮ行Ｍ列のマトリックス配列で前記表示装置に表示し、前記トラックボールのＹ軸方向の座標信号に基づいて倍率を連続的に変化させ、
前記トラックボールのＸ軸方向の座標信号に基づいて該選択肢の一つが選択状態であることを示すカーソルを前記Ｎ行Ｍ列のマトリックス配列で順次配置された該選択肢の配列の順番に従って移動させ、前記倍率変化に伴う表示される行数の増減に対応して、配列変更前に選択状態にあった前記選択肢を基準として、増減後の行数で前記選択肢の表示位置を順送りに並び替えて表示し、前記基準とした選択肢が、前記行数の増減による表示位置の並び替え後、中央行または中央から左側の行に位置するように表示画面をスクロールして表示し、
前記倍率の拡大により、表示画面の端に位置する選択肢が表示画面から見えなくなると、  行数が減少したマトリックス配列に前記選択肢を順送りに並び替えて表示するようにする。
また、前記倍率の拡大により、表示画面のフレームの下端が該表示画面の下端に位置する選択肢の表示領域から該選択肢の一つ上方に位置する選択肢の表示領域に入ると、行数が減少したマトリックス配列に前記選択肢を順送りに並び替えて表示するようにする。
【００１２】
さらに、複数の選択枝を一覧表示する表示装置と、前記表示装置の選択枝の配列を制御する制御装置と、前記制御装置に座標信号を指示する遠隔操作装置であって該遠隔操作装置を把持した状態で指先で操作されるポインティングデバイスを備えた遠隔操作装置とを備え、前記選択肢を上方から下方でかつ左右方向に順次配置されるＮ行Ｍ列のマトリックス配列で前記表示装置に表示し、前記ポインティングデバイスのＹ軸方向の座標信号に基づいて倍率を連続的に変化させ、前記ポインティングデバイスのＸ軸方向の座標信号に基づいて該選択肢の一つが選択状態であることを示すカーソルを前記Ｎ行Ｍ列のマトリックス配列で順次配置された該選択肢の配列の順番に従って移動させ、前記倍率変化に伴う表示される行数の増減に対応して、配列変更前に選択状態にあった前記選択肢を基準として、増減後の行数で前記選択肢の表示位置を順送りに並び替えて表示し、前記基準とした選択肢が、前記行数の増減による表示位置の並び替え後、中央行または中央から左側の行に位置するように表示画面をスクロールして表示し、前記倍率の拡大により、表示画面の端に位置する選択肢が表示画面から見えなくなると、行数が減少したマトリックス配列に前記選択肢を順送りに並び替えて表示するようにする。
【発明の効果】
【００１３】
本発明によれば、一覧表示での拡大縮小表示の操作をトラックボールや遠隔操作装置の
ポインティングデバイスの操作特性にあった良好な操作性を提供することができる。
【発明を実施するための最良の形態】
【００１４】
以下、図１から図７を参照して、この発明に係る情報表示装置を具体的に説明する。以
下の説明では、情報表示装置の１つの実施の形態として、テレビジョン受像機を事例に説
明するが、パーソナルコンピュータやゲームなどでも適用することができる。ここで、図
１はテレビジョン受像機の概要図である。図２はテレビジョン受像機の装置ブロック図で
ある。図３はコンテンツ検索フロー図である。図４はコンテンツ検索画面図である。図５
はコンテンツ閲覧フロー図である。図６、図７はコンテンツ閲覧画面の配列図である。
【００１５】
先ず、図１を参照して、この実施の形態に係るテレビジョン受像機の概要を説明する。
図１において、この実施の形態に係るテレビジョン受像機は、表示部１０１を備えた受像
機本体１００と、この受像機本体１００の各種の操作を入力するリモコン５０とから構成
される。受像機本体１００は、１つの筐体に表示部１０１や記憶部１０２（図２で図示）
などを収めた一体型の極一般的なテレビジョン受像機でも良いし、表示部１０１を他の装
置と独立して設けた表示部分離型の筐体構造でも良い。ここでは、一体型のテレビジョン
受像機で説明している。また、リモコン５０は、表示部１０１に表示されるカーソルの操
作をトラックボール５１で行う遠隔操作型の操作指示装置である。この実施の形態では、
赤外線信号を用いてチャンネル選局や各種の操作を遠隔操作できる事例で説明するが、こ
れに限定されるものではなく、無線装置を備えたり、あるいは、コードを介して操作信号
を受像機本体に指示する構造のものでも良い。また、この実施の形態においては、カーソ
ルの操作をトラックボールにより行う事例で説明するが、リモコンなどに取り付けられ、
手で把持した状態で指先で操作するポインティングデバイスにより操作するものでも良い
。
【００１６】
このテレビジョン受像機は、受像機本体１００に内蔵したチューナ１０３（図２で図示
）によりテレビ放送などのコンテンツの視聴ができる他、受像機本体１００に内蔵した制
御部１１１がリモコン５０からの指示操作に基づいて、特定の機能が割り当てられた複数
の操作ボタンやアイコン、あるいは写真画像や動画像などの選択枝４０を表示部１０１の
表示画面１０１ａに表示し、これらの選択枝４０に対してトラックボール５１で指示され
るＸ座標とＹ座標からなる座標位置信号によりカーソルを移動させ、このカーソルを位置
合わせすることにより選択し、この選択された選択枝４０に対し、特定の機能が割り当て
られていれば、その特定の機能を実行することができる。
【００１７】
そして、このテレビジョン受像機の大きな特徴の１つは、トラックボール５１の特性を
活かしたリモコン４０の操作に基づいて、表示画面１０１ａに複数の選択肢４０を一覧表
示し、この一覧表示の倍率指示を受け付けて、この倍率指示にあった選択枝４０の配列を
自動的に行う点にある。即ち、この実施の形態では、トラックボール５０のＹ軸方向を値
を倍率として定義し、Ｘ軸方向の動きをＹ軸方向の画面スクロールとして定義している。
【００１８】
この実施の形態で採用するトラックボール５１は、テーブルに設置した場合は、このト
ラックボール５１の配置面５２の一方に手首をおいて、指先でトラックボール５１を操作
する。この際、図１（ａ）に示すように、トラックボール５１の前後方向（Y軸方向）の
動きは、指を前後方向に動かして操作するので、その動作範囲は制限され操作しにくい。
一方、図（ｂ）に図示すように、トラックボール５１の左右方向（X軸方向）は、手首を
中心とした回転操作となるので操作しやすい。上記トラックボール５１の操作性は、リモ
コン５０を片手に持って親指で操作する場合も同様な操作性となる。
【００１９】
一方、表示画面１０１ａは、一般に、縦方向（Y軸方向）より横方向（X軸方向）の寸法
が大きい横長の形状となっているので、トラックボール５１の操作性にあった表示画面１
０１ａといえる。また、複数の選択枝４０を一覧表示して画面スクロールを行う場合、上
下方向（Y軸方向）の動きより横方向（X軸方向）の画面スクロールが人間の目の動きに合
っているということもできる。
【００２０】
そこで、この実施の形態では、トラックボール５１のY軸方向の動きを倍率として受け
付け、そのY軸方向の移動量にあわせて連続した拡大や縮小を行う。また、X軸方向の動き
は画面スクロールとして受け付け、そのX軸方向の移動量にあわせて連続して移動させる
。
【００２１】
このように、この実施の形態では、トラックボール５１の操作特性に合わせて、表示画
面１０１ａの倍率の指示をY座標、左右方向（X軸方向）の画面スクロールの指示をX座標
で受け付けることで操作性を向上させることができる。
【００２２】
このテレビジョン受像機の大きな特徴の他の１つは、拡大／縮小の倍率にあわせて配列
を自動的に変更させる点にある。即ち、この実施の形態では、選択枝４０をN行M列のマト
リックスで配置することを原則としている。図１では、選択枝４０の総数が２４個の事例
で説明している。この事例では、４行６列の一覧表示を１つの表示画面１０１ａに表示す
るのが最小倍率の一覧表示となり、逆に、少なくとも１個の選択枝４０が表示画面１０１
ａの縦幅一杯に表示されるのが最大倍率として定義する。なお、この最小倍率と最大倍率
をさらに大きな倍率やさらに小さな倍率としてもよいが、その配列変更を行わないように
する。
【００２３】
この配列を実現するために、この実施の形態では、列は上から下へ、行は左から右の順
で選択枝４０が配置される。したがって、選択枝４０の配列は、図１に示すように、左側
行ｍ１の上から下へ、次の左側行ｍ２の上から下に順次配列される。また、配列変更では
、n1行を基点として、倍率変更にともなって行数Nが増減するように定義する。
【００２４】
そして、倍率が拡大されて、n４m１の「選択肢４」が表示画面１０１ａから見えなくな
ると、即ち、表示画面１０１ａの下端がn３の領域に入ると、制御部１１１はn４m４の「
選択枝４」をn１m２の位置に移動して、以後の選択枝４０を矢印Pにしたがって並び替え
るようにする。縮小の場合はこの逆の制御をおこなう。
【００２５】
このように、この実施の形態では、拡大にともなって、表示画面１０１ａから見えなく
なった選択枝n４m４の「選択枝４」を隣の行Nの上部に配列しなおすことにより、この「
選択肢４」を見忘れることがない。そして、これらの選択肢４０は並び替えにより表示画
面の右側に仮想的に配列されることとなるが、これらは、トラックボールをX軸方向に移
動させることにより一覧することができる。
【００２６】
なお、図１の事例では、表示画面１０１ａに「選択枝１」が見える事例で説明したが、
例えば、もっと多くの選択枝４０があり、画面スクロールした状態の場合、所定の行（画
面中央）の上部の選択枝４０が新たに並び替えのあった所定の行（画面中央）に位置する
ように画面をスクロールする。これにより、拡大により表示画面１０１ａから消えた選択
枝４０は所定行の右側になるようにすることで、見忘れを軽減することができる。
【００２７】
以下、図２から図７を参照して、さらに詳細に説明する。
【００２８】
図２において、リモコン５０は、トラックボール５１の回転を検知するＸ軸検知センサ
部５３とＹ軸検知センサ部５４とから構成される回転検知部５５と、トラックボール５１
への押圧を検知する決定操作スイッチ５６と、操作ボタン５７とを備えている。この他、
前記赤外線発信窓から赤外線信号を送受信するための赤外線通信部５８と、操作プログラ
ムや操作履歴などを格納する記憶部５９と、このリモコン５０の動作制御を統括的に制御
する制御部６０と、この制御部６０の指示に基づいてリモコン５０受信機本体１００に振
動を与える振動駆動部６１を含んで構成される。
【００２９】
一方、このリモコン５０の操作指示に基づいて動作する受像機本体１００は、操作のた
めのメニュー画面やリストを表示するための表示部１０１と、スピーカなどの音声出力部
１０５と、アンテナ１０６からコンテンツを受信するためのチューナ１０３と、通信回線
を介してインターネット１０７からコンテンツを取得するためのネットワーク通信部１０
８と、リモコン５０からの赤外線信号を送受信するための赤外線通信部１０９と、各種の
プログラムやコンテンツなどを格納する記憶部１１０と、これら受像機本体１００の各装
置を統括的に制御する制御部１１１とを備えた極一般的な装置である。
【００３０】
なお、この実施の形態では、赤外線通信部５８、と赤外線通信部１０９との間で双方向
の通信を行うことにより、受像機本体１００から信号を受け取って、振動駆動部６１を介
して利用者に知らせることができる。しかし、フォースフィードバックを実施する場合は
双方向通信が必要だが、実施しない場合はリモコン５０から受像機本体１００への一方向
通信で良い。また、この実施の形態では、赤外線通信を採用しているが、これに替えて電
波による無線通信を採用してもよい。
【００３１】
次に、図３の動作フロー図と図４の画面図を参照して、コンテンツ検索操作を説明する
。図３において、この実施の形態に係る受像機本体１００の制御部１１１は、リモコン５
０の操作ボタン５７の１つの操作スイッチであるメニューボタンの操作を受け付けると（
ステップ３００）、図４に示すコンテンツ検索のメニュー画面２００を表示画面１０１ａ
に表示する（ステップ３０２）。
【００３２】
このメニュ画面２００は、複数のフオルダが縦列に配列され、前記フオルダ領域２０１
で選択されたフオルダに属する複数のコンテンツを一覧表示画面２１０に表示する。そし
て、フオルダ領域２０１では、常に１つのフオルダが選択状態となっている。この図４で
は、フオルダ領域ではフオルダＣが選択されている状態を示している。
【００３３】
さて、制御部１１１は、トラックボール５１の操作信号を監視し、Ｙ座標の移動信号を
受け付けると（ステップ３０６）、フオルダ領域２０１に縦列に表示されたフオルダをカ
ーソル２０３がＹ座標の指示に基づいて移動する(ステップ４１４)。ここで、カーソル２
０３が上端または下端でさらに移動指示を受け付けると画面スクロールをおこなうように
動作する。そして、制御部１１１は、一覧表示画面２１０にフオルダ領域２０１で選択さ
れたフオルダに属するコンテンツを表示し、フオルダ領域２０１での選択が変更されると
、この選択にともなってコンテンツの表示を切り替える。
【００３４】
一方、制御部１１１は、X座標の移動信号を受け付けると（ステップ３０８）、一覧表
示画面２１０に配列されるコンテンツ一覧を指示方向へ横スクロールさせる（ステップ３
１６）。
【００３５】
そして、制御部１１１は、リモコン５０から決定キーの操作を受け付けると（ステップ
３１０）、、フオルダ領域２０１が非表示になり、一覧表示画面２１０の拡大縮小動作フ
ローが可能になる（ステップ３１２）。
【００３６】
次に、図５から図７を参照して一覧表示画面２１０の拡大縮小動作フローを具体的に説
明する。先ず、図６を参照して一覧表示画面２１０の特徴を説明する。ここで図６の（ａ
）図は最小倍率から拡大表示に移る状態の配列を示し、（ｂ）図はさらに拡大して１行減
らした状態の配列を示している。
【００３７】
図５において、制御部１１１は、図３の動作ステップから一覧表示画面２１０の表示指
示がなされると一覧表示画面２１０の図６の（ａ）図に示す初期画面を表示する。
【００３８】
図６において、この一覧表示画面２１０は、コンテンツ表示領域２１１を備え、このコ
ンテンツ表示領域２１１にＮ行Ｍ列、即ち、N行×Ｍ列で求められる最大表示数Ｑ１を表
示することができる。例えば、図６の例では、コンテンツ総数Ｑ２が２４個あり、このコ
ンテンツ総数Ｑ２を表示することができる４行６列（最大表示数Ｑ１と同じ）のマトリッ
クスで表示する。そして、この４行６列のマトリックスを表示画面１０１ａに表示する状
態を最小倍率としている。制御部１１１は、フオルダ領域２０1で選択されたコンテンツ
のコンテンツ数Ｑ２から行数と列数を算出して初期画面を表示する。
【００３９】
図５に戻り、制御部１１１は、リモコン５０のトラックボール５１による座標信号を受
け付け、Ｘ座標信号であれば画面を指示方向へ横スクロールさせ（ステップ３５２）、Ｙ
軸座標信号であればＹ軸方向（縦方向）の拡大、縮小信号として表示画面１０１ａを制御
する（ステップ３５４）。しかしながら、倍率が所定値を超えると、即ち表示画面１０１
ａに表示される行数が変化するとコンテンツの配列を変更する（ステップ３５６）。
【００４０】
即ち、図６において、（ａ）図に示すように、制御部１１１は、拡大指示がなされると
、その指示速度に応じて表示内容を拡大する。表示内容と表示画面１０１ａとの関係は相
対変化なので、拡大は表示画面１０１ａのフレーム１０１ｂを小さくすることと同じと考
えることができる。この実施の形態では、左上を基点として拡大縮小を行うように設定し
ているので、制御部１１１は、拡大指示がなされて、フレーム１０１ｂの下端が４行の領
域ｎ４から３行の領域ｎ３に入ると、即ち表示される行数が１行少なくなると、（ｂ）図
に示すように「コンテンツ４」がｎ４ｍ１の位置からｎ１ｍ２の位置に移動するように４
行表示から３行表示のマトリックス配列に表示を変化させる。ここで、行数は少なくなる
と、列数が増えることとなるが、これは画面をスクロールさせることで対応させることが
できる。また、縮小表示では、前記肯定と逆の操作がなされて行数を増やす操作がなされ
る。
【００４１】
図７は、行数の変化にともなう一覧表示画面２１０の表示内容の変化を表している。（
ａ）に示すように、行数は変化すると、それにともなって、その変化にともなって、順送
りに各コンテンツの表示位置される位置が変化する。（ｂ）図は（ａ）図の状態から１行
減った状態の配列を示している。さらに（ｃ）図は２行となった場合の配列、（ｄ）図は
１行となった状態の一覧表示画面２１０を示している。ここで、（ａ）図の状態が最小倍
率、（ｄ）図が最大表示倍率となる。なお、拡大縮小の倍率は、（ａ）図よりさらに縮小
したり、あるいは（ｄ）からさらに拡大してもよいが、配列変更をしない。
【００４２】
図５に戻り、前記したように、ステップ３５６ではフレーム１０１ｂの下端が現在の行
領域から増減されると（ステップ３５６）、所定列の上部の選択枝（コンテンツ）を記憶
する（ステップ３５８）。ここで、図６の例では、ｍ１列の上部の選択肢（コンテンツ１
）を記憶する。そして、行数の増減に基づいて、制御部１１１は表の並び替えを行い（ス
テップ３６０）、所定行の選択肢（コンテンツ）が所定行とするように画面スクロールを
行う（ステップ３６２）。
【００４３】
ここで、ステップ３５６とステップ３６０は、無くして動作させてもよいが、このステ
ップを備えることにより画面の見易さを良好とすることができる。例えば、記憶する所定
行を表示画面１０１ａの中央とすることにより、中央の最上部に配列されていたコンテン
ツが行数が変化して配列が変わっても、常に中央に存在するので、コンテンツ表示領域２
１１に沢山のコンテンツが存在しても、対象とするものが常に中央にあるので、配列変更
にともなう迷子や戸惑いを軽減することができる。
【００４４】
さて、制御部１１１は、前記配列変更がなされると、変化した行数を基準として行数の
増減を監視する（ステップ３６６）。また、制御部１１１は、最大倍率と最小倍率を監視
している。即ち、行数ｎが１行の場合（ステップ３６６）は、これ以上の拡大は無しとし
て拡大を制限する（ステップ３７０）。一方、表示されるコンテンツ数がコンテンツ総数
と同じかあるいは超えると（ステップ３６８）、それ以上の縮小は無しとして縮小を制限
する（ステップ３７２）。
【００４５】
さて、前記実施の形態では、Ｘ座標を画面スクロールとして定義したが、このＸ座標を
コンテンツ表示領域２１１内でのカーソル移動として定義してもよい。例えば、コンテン
ツ表示領域２１１では常に１つのコンテンツが選択状態（カーソル）となっており、Ｘ座
標が変化すると、このカーソルが配列の順番に従って移動するようにしてもよい。この場
合、ステップ３５８ではカーソルのコンテンツを記憶し、ステップ３６２では、中央行か
あるいは中央行に至らない場合は中央から左側の行に位置するように画面スクロールする
ように制御する。この方法であれば、コンテンツに特定の機能が付されている場合、この
カーソルで選択状態となったコンテンツを決定キーの操作で前記機能を実行させることが
できるから、プレビューの一覧表示画面２１０に留まらず汎用性のあるコンテンツ検索に
応用することができる。
【００４６】
このように、この実施の形態に係るテレビジョン受像機などの情報表示装置は、複数の
選択枝を一覧表示する表示装置（表示部）と、この表示装置の選択枝の配列を制御する制
御装置（制御部）と、この制御装置に座標信号を指示するトラックボールを備えた遠隔操
作装置（リモコン）を備えた情報表示装置の表示方法であって、前記選択肢を上方から下
方でかつ左右方向に順次配置されるＮ行Ｍ列のマトリックス配列で前記表示装置に表示し
、前記トラックボールのＹ軸方向の座標信号に基づいて倍率を変化させ、前記トラックボ
ールのＸ軸方向の座標信号に基づいて左右方向の画面をスクロールさせ、前記倍率変化に
伴う表示される行数の増減に対応して、表示される行数で配列を変更するものである。そ
して、この実施の形態では、配列変更前の所定の選択肢を配列後に表示される所定の列に
配置するように表示画面をスクロールして表示するものである。
【００４７】
また、他の実施の形態に係るテレビジョン受像機などの情報表示装置は、特定の機能が
割り当てられた複数の選択枝を一覧表示する表示装置（表示部）と、この表示装置の選択
枝の配列を制御する制御装置（制御部）と、この制御装置に座標信号を指示するトラック
ボールを備えた遠隔操作装置（リモコン）を備えた情報表示装置であって、前記選択肢を
上方から下方でかつ左右方向に順次配置されるＮ行Ｍ列のマトリックス配列で前記表示装
置に表示し、前記トラックボールのＹ軸方向の座標信号に基づいて倍率を変化させ、前記
トラックボールのＸ軸方向の座標信号に基づいて前記選択肢の選択を受け付け、前記倍率
変化に伴う表示される行数の増減に対応して、表示される行数で配列を変更するものであ
る。この場合、配列変更前の所定の選択肢を配列後に表示される所定の列に配置するよう
に表示画面をスクロールして表示することができる。また、前記遠隔操作装置からの決定
操作を受け付けて、前記選択されている選択肢に割り当てられている機能を実行すること
もできる。
【図面の簡単な説明】
【００４８】
【図１】テレビジョン受像機の概要図である。
【図２】テレビジョン受像機の装置ブロック図である。
【図３】コンテンツ検索フロー図である。
【図４】コンテンツ検索画面図である。
【図５】コンテンツ閲覧フロー図である。
【図６】コンテンツ閲覧画面の配列図である。
【図７】コンテンツ閲覧画面の配列図である。
【符号の説明】
【００４９】
４０…選択枝、５０…リモコン、５１…トラックボール、５２…配置面、５３…Ｘ軸検知
センサ部、５４…Ｙ軸検知センサ部、５５…回転検知部、５６…決定操作スイッチ、５７
…操作ボタン、５８…赤外線通信部、５９…記憶部、６０…制御部、６１…振動駆動部、
１００…受像機本体、１０１…表示部、１０１ａ…表示画面、１０２…記憶部、１０３…
チューナ、１０４…制御部、１０５…音声出力部、１０６…アンテナ、１０７…インター
ネット、１０８…ネットワーク通信部、１０９…赤外線通信部、１１０…記憶部、１１１
…制御部、２００…メニュー画面、２０１…フオルダ領域、２０３…カーソル、２１０…
一覧表示画面、２１１…コンテンツ表示領域、Ｑ１…コンテンツ総数、Ｑ２…最大表示数
。
【図１】
0004691589.tif 000002
【図２】
0004691589.tif 000003
【図３】
0004691589.tif 000004
【図４】
0004691589.tif 000005
【図５】
0004691589.tif 000006
【図６】
0004691589.tif 000007
【図７】
0004691589.tif 000008